(57)【要約】【課題】セパレートコード及び二イヤホンコードの位置を制御して、絡まらず、且つ定位安定度が高いセパレート式イヤホンコードの位置制御装置を提供する。      【解決手段】セパレート式イヤホンコードの位置制御装置は、底端にイヤホンジャックを連接し、上端に左右イヤホンを連接したセパレート式左右信号コードと、少なくとも一個以上のスライドユニットを含む。そのうち、スライドユニット上には左右穿孔が貫設され、左右信号コードを左右穿孔内に通し、スライドユニットによって左右信号コードがスライドし、首掛け孔が形成される。【選択図】図５  
0003106884.tif 000002
【実用新案登録請求の範囲】
【請求項１】
セパレート式左右信号コードと、少なくとも一個以上のスライドユニットを含むセパレート式イヤホンコードの位置制御装置において、
その底端はイヤホンジャックと連接し、上端は左右イヤホン(もしくはイヤホンマイク)が連接するセパレート式イヤホンコードと、
本体上に左右穿孔が貫設され、そこに左右信号コードが通され、左右信号コード間でスライド移動し、首掛け孔は下方で形成されるスライドユニットから構成されることを特徴とするセパレート式イヤホンコードの位置制御装置。
【請求項２】
前記イヤホンジャックは、その上方にある左右信号コードが下スライドユニットの左右穿孔に通されることを特徴とする請求項１記載のセパレート式イヤホンコードの位置制御装置。
【請求項３】
前記左右信号コードは、引っ張り力を受けると、スライドユニットもしくは下スライドユニットの左右穿孔でスライド移動して首掛け孔の大きさをコントロールすることを特徴とする請求項１記載のセパレート式イヤホンコードの位置制御装置。
【請求項４】
前記スライドユニット及び下スライドユニットは、その左右穿孔の孔縁上に凸縁部が成形されて左右穿孔の高さを上げることを特徴とする請求項１記載のセパレート式イヤホンコードの位置制御装置。
【請求項５】
前記下スライドユニットは、その側辺に掛合紐が設置されることを特徴とする請求項２記載のセパレート式イヤホンコードの位置制御装置。
【請求項６】
前記スライドユニット及び下スライドユニットは、表面に広告図案(もしくは文字)を入れ、またスライドユニット及び下スライドユニットの形状は片体、ブロック体、棒体であることを特徴とする請求項１または２記載のセパレート式イヤホンコードの位置制御装置。
【請求項７】
前記スライドユニットは、その本体の組立が凸体を凹槽に掛合して構成されることを特徴とする請求項１記載のセパレート式イヤホンコードの位置制御装置。
【考案の詳細な説明】
【技術分野】
【０００１】
本考案は、セパレート式イヤホンコードの位置制御装置に関するもので、コードの長さが長いもので、セパレートコード及びイヤホンコードの位置を制御するものである。
【背景技術】
【０００２】
公知のＭＰ３プレイヤーもしくはパソコンのホスト機に使用するイヤホン装置は、図９に示すとおり、信号コードＳ１、Ｓ２が等しく二本に分離しており、その二本の信号コード外端は二個のイヤホンＥ１、Ｅ２が連接し、下端はイヤホンジャックＡが連接する。そのイヤホンジャックＡはＭＰ３プレイヤーもしくはパソコンホスト機もしくはＣＤプレイヤーに差し込まれ、立体的に言語や音楽を聴くため、コードの長さは相当長いものとなる。
また、図１０に示す公知の信号コードＳ１、Ｓ２には、コード上に滑り止めカバーＢが設置される。
【考案の開示】
【考案が解決しようとする課題】
【０００３】
解決しようとする問題点は、下述の点である。
イヤホンＥ１、Ｅ２を耳に入れているだけなので、信号コードＳ１、Ｓ２は定位しない。また使用者の体に絡まりやすい。
使用者は長さ分布の調整及び定位ができない。
【課題を解決するための手段】
【０００４】
本考案は、底端にイヤホンジャックを連接し、上端に左右イヤホンを連接したセパレート式左右信号コードと、少なくとも一個以上のスライドユニットを含む。そのうち、スライドユニット上には左右穿孔が貫設され、左右信号コードを左右穿孔内に通し、スライドユニットによって左右信号コードがスライドし、首掛け孔が形成されることを最も主要な特徴とする。
【考案の効果】
【０００５】
本考案のセパレート式イヤホンコードの位置制御装置は、下述の利点がある。
コードの長さを即座に調節する。
外からの力がかかった時には、即座にスライドユニットが分離する。
加工、製造コストが低く、広告効果を具える。
【考案を実施するための最良の形態】
【０００６】
図５，６に示すとおり、本考案は、主に二本に分離した左右信号コード１０、２０、及び少なくとも一片以上のスライドユニット６０を含む。
二本に分離した左右信号コード１０,２０は、その底端にイヤホンジャック３０が連接し、上端には左右イヤホン４０,５０(もしくは左右イヤホンマイク)が連接する。
【０００７】
少なくとも一片以上のスライドユニット６０(図１，２参照)は、本体に左右穿孔６２，６４が貫設され、左右信号コード１０,２０を左右穿孔６２,６４内に通し、スライドユニット６０は左右信号コード１０,２０間でスライド移動する。首掛け孔１５はスライドユニット６０下方に形成される。
【０００８】
イヤホンジャック３０上方の左右信号コード１０,２０は、別の下スライドユニット６０´の左右穿孔６２´、６４´内に通す。
左右信号コード１０，２０が外から引っ張られる力を受けると、スライドユニット６０もしくは下スライドユニット６０´の左右穿孔６２，６４、６２´、６４´はスライド移動して首掛け孔１５の大きさを制御する(図５参照)。
【０００９】
スライドユニット６０、下スライドユニット６０´の左右穿孔６２，６４、６２´、６４´の孔縁上には凸縁部６２１，６４１が設置されて左右穿孔６２,６４の孔の高さを上げる(図１参照)。
【００１０】
下スライドユニット６０´側辺には掛合紐６５が設置される(図２参照)。
スライドユニット６０、下スライドユニット６０´の表面に広告図案７０(もしくは文字)を設置する。
スライドユニット６０の本体は、凸体６３１が凹槽６１１と組み合わさってスライドユニット６０形成する構造でもよい。
【００１１】
図６及び図８に示すとおり、首掛け孔１５を使用者の頸部に掛け、スライドユニット６０位置は後頸部９０とする。下スライドユニット６０´と左右信号コード１０,２０を相対してスライドさせ、イヤホンジャック３０と下スライドユニット６０´の間隔Ｌを調整する(図５参照)。掛合紐６５はＭＰ３プレイヤー８０(もしくはパソコンホスト機)を掛合し、イヤホンジャック３０はＭＰ３プレイヤー８０の信号出力端子(もしくはパソコンホスト機)に差し込む。図７に示すとおり、二個のイヤホン４０，５０(もしくはイヤホンマイク)を耳９２に入れるだけで、信号が送られる。左右信号コード１０，２０の適正位置にマイクを増設することで(図未提示)、発話を発信することもできる。
【００１２】
図３、４に示すとおり、本考案のスライドユニット６０は凸体６３１が凹槽６１１と組み合わさって構成され、万一左右信号コード１０，２０が力を受けた場合、凸体６３１は凹槽６１１から外れ、使用者の頭が左右信号コード１０，２０の引っ張られる力による危険から防止する。
穿孔６２,６４と左右信号コード１０，２０を、密着させる方法を選択することもある（比較的高い摩擦力を具える）。懸吊の静止状態でスライドユニット６０及び下スライドユニット６０´は左右信号コード１０,２０上で相互にスライドしない。ただ、左右信号コード１０,２０が引っ張られ、スライドユニット６０(もしくは下スライドユニット６０´)の穿孔６２，６４と相対してスライドする場合、首掛け孔１５の大きさは有効に調整され(図６参照)、下スライドユニット６０´とイヤホンジャック３０の間隔Ｌは有効に調整される(図５参照)。これによって、イヤホンジャック３０は確実にＭＰ３プレイヤー８０(もしくはパソコンホスト機またはＣＤプレイヤー)上に差込まれる。本考案のスライドユニット６０と下スライドユニット６０´は、左右信号コード１０,２０上に懸吊され、二個の上下定位部を形成して首掛け孔１５を形成する。このため、セパレート式の左右信号コード１０,２０が絡まることを防止する。またコードで首掛け孔１５を形成するため、使用時、イヤホンコード全体の定位度が高まり、操作しやすい。使用者は、胸の前のイヤホン１０,２０を耳９２に入れるだけでよい。首掛け孔１５の大きさは調整できるので、使用者の首の太さに対応させる(図７参照)。
スライドユニット６０及び下スライドユニット６０´表面に広告図案もしくは文字７０を入れることにより、広告効果が向上する(図１,２参照)。
スライドユニット６０、下スライドユニット６０´は薄片体である必要はなく、ブロック体もしくは棒状、もしくはその他の構造でも本考案のスライドユニット６０及び下スライドユニット６０´の範囲である。
本考案の信号コードは即ちネックストラップであり、公知の織物製ネックストラップに代替される。
【図面の簡単な説明】
【００１３】
【図１】本考案のスライドユニット(もしくは下スライドユニット)の立体図である。
【図２】本考案の下スライドユニット掛合紐設置の立体図である。
【図３】本考案のスライドユニット(もしくは下スライドユニット)の別実施例立体図である。
【図４】図３の左右半片分離状態図である。
【図５】本考案のスライドユニット(もしくは下スライドユニット)が信号コード上でスライドする動作図である。
【図６】本考案の実施状態立体図である。
【図７】本考案実施状態の別の立体図である。
【図８】本考案実施状態の別の立体図である。
【図９】公知のセパレート式イヤホン立体図である。
【図１０】公知のセパレート式イヤホン立体図である。
【符号の説明】
【００１４】
１０        左信号コード
１５        首掛け孔
２０        右信号コード
３０        イヤホンジャック
４０        左イヤホン
５０        右イヤホン
６０        スライドユニット
６０´      下スライドユニット
６１        左半片
６１１        凹槽
６２        左穿孔
６２´      左穿孔
６２１        凸縁部
６４１´      凸縁部
６３        右半片
６３１        凸体
６４        右穿孔
６４´      右穿孔
６５        掛合紐
７０        図案
８０        プレイヤー
９０        後頸部
９２        耳
Ｌ        間隔
【図１】
0003106884.tif 000003
【図２】
0003106884.tif 000004
【図３】
0003106884.tif 000005
【図４】
0003106884.tif 000006
【図５】
0003106884.tif 000007
【図６】
0003106884.tif 000008
【図７】
0003106884.tif 000009
【図８】
0003106884.tif 000010
【図９】
0003106884.tif 000011
【図１０】
0003106884.tif 000012